(57)【要約】【課題】遊技球貯留量が満タンか否かを検出する検出手段の良好なメンテナンス性を実現する。【解決手段】遊技球を遊技盤Ｇへ向けて発射するために貯留する上皿４２と、上皿４２に貯留しきれない遊技球が流下して貯留される下皿４４とをユニット化した皿ユニット４０を構成し、皿ユニット４０のベース４１の裏面側に、上皿４２に貯留しきれない遊技球を下皿４４へ流下させる球通路７０を設けるとともに、遊技球貯留量が満タンか否かを検出する検出手段を球通路７０に設ける。内枠１４に対して皿ユニット４０を開放すると、ベース４１の裏面側に設けられた球通路７０が露出されるため、球通路７０や検出手段付近での球詰まりの解消等が容易に行えるようになる。【選択図】図４
2007313233.tif 000002
【特許請求の範囲】
【請求項１】
枠体と、
前記枠体の前面上部に設けられ、遊技球を用いて遊技が行われる遊技盤と、
前記枠体に設けられ、前記遊技球を払い出す球払出手段と、
前記枠体の前面下部に開閉可能に設けられた開閉体と、
前記開閉体の前面上部に設けられ、前記球払出手段から払い出された遊技球を前記遊技盤へ向けて発射するために貯留する上皿と、
前記開閉体の前面下部に設けられ、前記上皿に貯留しきれない遊技球が流下して貯留される下皿と、
前記開閉体の裏面側に設けられ、前記上皿に貯留しきれない遊技球を前記下皿へ流下させる球通路と、
前記球通路に設けられ、前記下皿の遊技球貯留量が満タンか否かを検出する検出手段と、
前記枠体に設けられ、前記検出手段による検出情報に基づいて前記球払出手段による遊技球の払い出し動作を制御する制御手段と、
を備えた遊技機。
【請求項２】
前記検出手段は、
検出部の押圧及び押圧解除に応じた検出情報を前記制御手段へ出力する検出器と、
遊技球の押圧により所定方向へ変位して前記検出部を押圧し、遊技球による押圧解除により前記所定方向とは逆方向へ変位して前記検出部を押圧解除するとともに、自重を検出部に作用させない球受体と、
を有することを特徴とする請求項１記載の遊技機。
【請求項３】
前記球受体に、球受体を手動で変位操作する操作部が設けられていることを特徴とする請求項２記載の遊技機。
【請求項４】
前記開閉体の開放状態で前記球通路の内部が目視可能とされていることを特徴とする請求項１〜請求項３の何れか１項記載の遊技機。
【発明の詳細な説明】
【技術分野】
【０００１】
本発明は、遊技球貯留量が満タンか否かを検出して遊技球の払い出し動作を制御する遊技機に関する。
【背景技術】
【０００２】
パチンコ機等の遊技機における遊技球貯留量の満タン状態を検出する技術としては、球皿構造体の遊技球貯留量が満タンになるのに伴い主流通路から溢れ出た遊技球を、遊技機本体を構成する枠体の裏面に設けた満タン検出装置の球受体に搭載し、遊技球の重さで球受体が下方へ回転し満タン検出器の可動スイッチ突起を押し下げるよう構成したものが提案されている（例えば、特許文献１参照）。
【特許文献１】特開２００５−１６０９５３号公報
【発明の開示】
【発明が解決しようとする課題】
【０００３】
ところで、上記のような検出手段を、例えば、遊技球を遊技盤へ向けて発射するために貯留する上皿と、上皿に貯留しきれない遊技球が流下して貯留される下皿とが、枠体に対して開閉される開閉体に設けられてユニット化された構成に適用する場合には、検出器付近での球詰まりの解消や検出器の交換等のメンテナンス性を考慮する必要がある。
【０００４】
本発明は上記事実を考慮して、遊技球貯留量が満タンか否かを検出する検出手段の良好なメンテナンス性を実現できる遊技機を提供することを課題とする。
【課題を解決するための手段】
【０００５】
上記課題を解決するために請求項１に記載の発明は、枠体と、前記枠体の前面上部に設けられ、遊技球を用いて遊技が行われる遊技盤と、前記枠体に設けられ、前記遊技球を払い出す球払出手段と、前記枠体の前面下部に開閉可能に設けられた開閉体と、前記開閉体の前面上部に設けられ、前記球払出手段から払い出された遊技球を前記遊技盤へ向けて発射するために貯留する上皿と、前記開閉体の前面下部に設けられ、前記上皿に貯留しきれない遊技球が流下して貯留される下皿と、前記開閉体の裏面側に設けられ、前記上皿に貯留しきれない遊技球を前記下皿へ流下させる球通路と、前記球通路に設けられ、前記下皿の遊技球貯留量が満タンか否かを検出する検出手段と、前記枠体に設けられ、前記検出手段による検出情報に基づいて前記球払出手段による遊技球の払い出し動作を制御する制御手段と、を備えたことを特徴としている。
【０００６】
請求項１に記載の発明では、枠体に設けられた球払出手段から払い出された遊技球が、開閉体の前面上部に設けられた上皿に貯留され、開閉体の上側となる枠体の前面上部に設けられた遊技盤へ向けて発射されることにより、遊技盤にて遊技球を用いた遊技が行われる。
【０００７】
遊技の進行に伴い、球払出手段から例えば賞球等の遊技球が払い出され、上皿の遊技球貯留量が増加し満タンになると、上皿に貯留しきれない遊技球は、開閉体の裏面側に設けられた球通路を流下して、開閉体の前面下部に設けられた下皿に貯留される。さらに、下皿の遊技球貯留量が増加して満タンになり、球通路に設けられた検出手段によって満タン状態であることが検出されると、制御手段は、検出手段による満タン状態の検出情報に基づいて、遊技球の払い出し動作を停止させるよう球払出手段を制御する。また、下皿の遊技球貯留量が減少して満タンではなくなると、検出手段によって満タン状態が解除されたことが検出され、制御手段は、検出手段による非満タン状態の検出情報に基づいて、遊技球の払い出し動作が可能となるよう球払出手段を制御する。これにより、遊技球貯留量が満タンであるが否かに応じた遊技球の払い出しが行われ、上皿に下皿を加えた貯留許容量内での払出制御が可能となる。
【０００８】
また、上記の上皿及び下皿が設けられた開閉体を、枠体に対して閉塞状態から開放すると、開閉体の裏面側に設けられた球通路が露出される。これにより、例えば、球通路や検出手段付近での球詰まりの解消、あるいは、検出手段の交換等が容易に行えるようになる。したがって、上皿及び下皿を開閉体に設けてユニット化した構成での検出手段のメンテナンス性が良好になる。
【０００９】
請求項２に記載の発明は、請求項１記載の遊技機において、前記検出手段は、検出部の押圧及び押圧解除に応じた検出情報を前記制御手段へ出力する検出器と、遊技球の押圧により所定方向へ変位して前記検出部を押圧し、遊技球による押圧解除により前記所定方向とは逆方向へ変位して前記検出部を押圧解除するとともに、自重を検出部に作用させない球受体と、を有することを特徴としている。
【００１０】
請求項２に記載の発明では、球通路に存在する遊技球に押圧されて球受体が所定方向へ変位し検出器の検出部を押圧すると、満タン状態を示す検出情報が検出器から制御手段へ出力され、制御手段は、遊技球の払い出し動作を停止させるよう球払出手段を制御する。また、遊技球による押圧が解除されて球受体が所定方向とは逆方向へ変位し検出器の検出部を押圧解除すると、非満タン状態を示す検出情報が検出器から制御手段へ出力され、制御手段は、遊技球の払い出し動作が可能となるよう球払出手段を制御する。
【００１１】
このような球受体及び検出器を有する検出手段では、例えば従来の満タン検出装置のように、球受体の自重が検出器の検出部（可動スイッチ突起）に作用するよう構成されると、繰り返し作動による検出部のばね力の低下や個体差によるばね力のばらつき等の要因で、球受体上に遊技球が存在しないときでも、球受体の自重で検出器の検出部が押し下げられ、満タン検出をしてしまうおそれがある。
【００１２】
これに対し、球受体の自重を検出器の検出部に作用させないよう構成することで、そのような誤検出を防止することができる。
【００１３】
請求項３に記載の発明は、請求項１又は請求項２記載の遊技機において、前記球受体に、球受体を手動で変位操作する操作部が設けられていることを特徴としている。
【００１４】
請求項３に記載の発明では、球受体に設けた操作部によって、球受体を手動で変位操作できるため、検出器の検査や球受体付近での球詰まりの解消等が容易且つ速やかに行えるようになる。
【００１５】
請求項４に記載の発明は、請求項１〜請求項３の何れか１項記載の遊技機において、前記開閉体の開放状態で前記球通路の内部が目視可能とされていることを特徴としている。
【００１６】
請求項４に記載の発明では、開閉体の開放状態で球通路の内部が目視できるため、球通路で発生した球詰まりの確認とその解消が迅速に行えるようになる。
【発明の効果】
【００１７】
本発明の遊技機によれば、遊技球貯留量が満タンか否かを検出する検出手段の良好なメンテナンス性を実現することができる。
【発明を実施するための最良の形態】
【００１８】
以下、本発明の実施形態に係る遊技機について図面を参照して説明する。
【００１９】
（パチンコ機の構成）
図１〜図４には、本発明の一実施形態に係るパチンコ機１０が示されており、図５には、パチンコ機１０に設けられた皿ユニット４０の背面図が示されている。
【００２０】
図１〜図４に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図４参照）、内枠１４の下側となる外枠１２の前面下端部には、パチンコ機１０の前面下端部を構成する合成樹脂製の下飾り１６が取り付けられている。
【００２１】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図４参照）。
【００２２】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域ＰＡが、パチンコ機１０の正面側から窓部２４のガラス板２６を通して視認可能とされている。
【００２３】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２４】
内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して発射装置６０（図２及び図４参照）へ供給する上皿４２が突設され、ベース４１の前面下部における上皿４２の左下に、上皿４２に貯留しきれない遊技球を貯留するための下皿４４が突設されている。
【００２５】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図４及び図５参照）へ誘導する整列通路４６が設けられている。ベース４１によって構成された上皿４２の奥壁面における右側端部には、内枠１４の裏面に設けられた払出装置６２（図２参照）から払い出された貸し球や賞球が排出される球排出口４８が形成されており、下皿４４の奥壁面における右側端部には、上皿４２に貯留しきれない遊技球が排出される球排出口４９が形成されている。
【００２６】
この皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００２７】
図４及び図５に示されるように、ベース４１の裏面における略中央部には、上皿４２に貯留しきれない遊技球を下皿４４へ流下させる球通路７０が設けられており、球通路７０よりも回転支軸側（図５の裏面視では右側）には、球送り装置４５が取り付けられている。球通路７０は、上端部に通路入口７２が形成され、下端部に形成された通路出口が球排出口４９とされている（図３参照）。
【００２８】
一方、内枠１４の前面下部における皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００２９】
貯球タンク７４は、上面が開口した箱型とされ、タンク底面が正面視にて左側から右側へ向けて下り傾斜している。タンク底面の傾斜方向上流側となる左側面には、払出装置６２の球払出口と連通されたタンク入口が形成されており（何れも図示省略）、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００３０】
図２及び図４に示されるように、内枠１４の裏面における開放側（裏面視左側）の側端部には、内枠１４及びガラス枠２２を施錠するための施錠装置６４が取り付けられており、施錠装置６４の下側には、皿ユニット４０をロックするためのロック装置６８が取り付けられている。この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。さらに、ガラス枠２２を開放すると露出されるロック装置６８のロック解除レバー６９を操作すると、内枠１４にロックされていた皿ユニット４０がロック解除されて開放可能となる。
【００３１】
皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置され、タンク出口７６及び球排出口４８を介して貯球タンク７４と上皿４２とが連通される。
【００３２】
図２に示されるように、内枠１４の裏面における上部には、島設備から供給された遊技球を貯留するための上タンク８０及び下タンク８２が設けられている。内枠１４裏面の回転支軸側（裏面右側）の側端部には、上タンク８０及び下タンク８２に貯留された遊技球を貯球タンク７４側へ流下させる上部球通路８４及び下部球通路８６が延設されており、上部球通路８４と下部球通路８６の間に払出装置６２が取り付けられ、下部球通路８６の下側に発射装置６０が取り付けられている。また、発射装置６０の左側には、払出装置６２を制御して遊技球の払い出しを実行及び停止させる払出制御基板８８が設けられている。
【００３３】
払出制御基板８８による払出停止制御では、払出装置６２を駆動停止させて遊技球の払い出しを停止し、払出実行制御では、払出装置６２を駆動させて、上タンク８０及び下タンク８２から上部球通路８４を流下し払出装置６２に誘導された遊技球を、貸し球又は賞球として下部球通路８６へ払い出す。そして、下部球通路８６を通り貯球タンク７４へ誘導された遊技球は、貯球タンク７４内を上流側（左側）から下流側（右側）へ転動して球排出口４８から排出され、上皿４２に貯留される。さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図４の矢印Ａ）。この遊技球が遊技領域ＰＡを自重落下する過程で入賞又は外れとなることにより、遊技盤Ｇにて遊技球を用いた遊技が行われる。
【００３４】
遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００３５】
また、遊技の終了時などに、上皿４２の前面左側に設けられた上皿用球抜きレバー５０を操作すると、整列通路４６の最下流部が開放して、上皿４２に貯留された遊技球が球抜き口１０８（図６及び図７参照）から球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００３６】
本実施形態のパチンコ機１０では、パチンコ機本体を構成する内枠１４と、内枠１４の前面下部に開閉可能に設けられて上皿４２及び下皿４４をユニット化した皿ユニット４０とでの遊技球の主な流動経路は以上の通りであり、この内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００３７】
シャッター板９０、９２は、皿ユニット４０が閉塞されると各々下方へ移動して（図４に示される位置）、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。このシャッター板９０、９２によって、皿ユニット４０を開放した際に、貯球タンク７４及び上皿４２から遊技球が流出しないようせき止められる。
【００３８】
（満タン検出装置の構成）
次に、上記のパチンコ機１０に設けられた満タン検出装置について説明する。
【００３９】
図５〜図７に示されるように、皿ユニット４０には、ベース４１の裏面４１Ａにおける略中央に、上述した球通路７０が設けられている。本実施形態の球通路７０は、ベース４１の裏面４１Ａによって通路の前壁部が構成され、ベース４１の裏面４１Ａに複数本のネジ１０６Ａ〜１０６Ｅで取り付けられた球通路カバー１００によって、通路の側壁部、底壁部、及び後壁部が構成されている。
【００４０】
球通路カバー１００は、透明な合成樹脂材料により、裏面視が略台形状で前面と上面が開口した箱体に形成されており、上面の開口によって上述した通路入口７２が構成されている。
【００４１】
通路入口７２付近における裏面視右側には、右側から左側へ向けて下り傾斜した所定長さの傾斜リブが設けられており、この傾斜リブによって、通路入口７２の右側に落下した遊技球ＰＢを球通路７０内の左下方へ誘導する通路内誘導壁部１００Ａが構成されている。
【００４２】
通路内誘導壁部１００Ａの左下端部からは、通路内誘導壁部１００Ａの傾斜方向とは逆に左側から右側へ向けて下り傾斜した、通路内誘導壁部１００Ａよりも長い傾斜リブが延設されており、この傾斜リブによって、通路内誘導壁部１００Ａの下側に設けられた通路中流部の通路内天井部１００Ｂが構成されている。
【００４３】
通路内天井部１００Ｂの右下端部からは、下方へ向けて縦リブが延設されており、この縦リブによって、通路下流側の通路内側壁部１００Ｃが構成されている。また、通路内側壁部１００Ｃの下端部からは、左側へ向けて横リブが延設されており、この横リブによって通路底壁部１００Ｄが構成されている。
【００４４】
一方、通路入口７２の裏面視左側には、通路入口７２側を開口した横向きのＵ字状リブが延設されており、Ｕ字状リブの内側に、満タン検出器１１０と球受体１２０の一部とが収容される収容室１０２が形成されている。このＵ字状リブによって収容室周壁部１００Ｅが構成されており、球通路カバー１００における収容室１０２の下部には、横長で且つ左側から右側へ向けて少し下がるように傾いた長孔１０４が形成されている。
【００４５】
収容室周壁部１００Ｅの右上端部からは、下方へ向けてＪ字状に屈曲した縦リブが延設されており、このＪ字状の縦リブによって、後述する球受体１２０の回動支持部１２２の通路入口７２側を囲う球受体カバー壁部１００Ｆが構成されている。
【００４６】
収容室周壁部１００Ｅの右下端部からは、左側から右側へ向けて下り傾斜した傾斜リブが延設されており、この傾斜リブによって、球通路７０内に誘導された遊技球ＰＢを通路中流部から通路下流側（通路底壁部１００Ｄ側）へ誘導して流下させる通路内流下壁部１００Ｇが構成されている。さらに、通路内流下壁部１００Ｇの右下端部からは、下方へ向けて縦リブが延設され、通路底壁部１００Ｄの左側端部に繋がれており、この縦リブによって、通路最下流部における通路内側壁部１００Ｈが構成されている。
【００４７】
また、球通路７０の最下流部には、通路底壁部１００Ｄと、通路底壁部１００Ｄの両端部に接続されて対向する通路内側壁部１００Ｈ及び通路内側壁部１００Ｃの下部と、によって壁部が凹状に構成されており、この凹状の壁部は、球通路カバー１００がベース４１の裏面４１Ａに取り付けられると、ベース４１に形成された矩形状の球排出口４９の下縁と両側縁を囲うように配置される。
【００４８】
また、上述した上皿用球抜きレバー５０の操作で、上皿４２に貯留された遊技球ＰＢが球通路７０へ抜き出される球抜き口１０８は、ベース４１の裏面４１Ａにおける球排出口４９の上方で且つ通路内側壁部１００Ｃの上部近傍に形成されている。この球抜き口１０８から球通路７０内へ排出された遊技球ＰＢは、自重で球通路７０内を落下し、真下に配置された通路底壁部１００Ｄに当たって球排出口４９から下皿４４へと排出される。
【００４９】
球通路７０は以上の構成とされており、本実施形態の球通路７０では、上記のように通路上流部における左側に収容室１０２が設けられ、収容室１０２内に満タン検出器１１０と球受体１２０の一部が収容されている。
【００５０】
本実施形態の満タン検出器１１０は、直方体状の検出器本体（スイッチ本体）１１２の一側面に、押圧式のプッシュスイッチ１１４、及び、プッシュスイッチ１１４を押圧作動させる板金製で片持ち状のスイッチ作動レバー１１６が組み付けられた汎用品のリミットスイッチで構成されている。
【００５１】
この満タン検出器１１０は、プッシュスイッチ１１４及びスイッチ作動レバー１１６を収容室１０２の開放側となる右側（球通路７０内側）へ向けるとともに、スイッチ作動レバー１１６の先端を左下へ向けた姿勢で収容室１０２の略中央に配置され、検出器本体１１２がベース４１の裏面４１Ａにネジ１１８で取り付けられて固定されている。この満タン検出器１１０の固定については、図６及び図７に示されるように、検出器本体１１２に形成された２個の取付孔（図示省略）に２本のネジ１１８を挿通させてベース４１の裏面に形成した２個のネジ孔に螺合させる構成としてもよく、あるいは、検出器本体１１２に形成された２個の取付孔のうちの一方の取付孔に対応させてベース４１の裏面にボスを形成し、そのボスに一方の取付孔を嵌め入れて検出器本体１１２を位置決めし、他方の取付孔にネジ１１８を挿通させてベース４１の裏面に形成したネジ孔に螺合させる構成等としてもよい。また、満タン検出器１１０は、検出器本体１１２が図示しないリード線によって払出制御基板８８と電気的に接続されており、スイッチ作動レバー１１６を介したプッシュスイッチ１１４の押圧によるスイッチＯＮ、及び、押圧解除によるスイッチＯＦＦに応じたＯＮ／ＯＦＦ信号を払出制御基板８８へ出力する。
【００５２】
一方、球受体１２０は、満タン検出器１１０のスイッチ作動レバー１１６側に位置して、収容室１０２の開口を塞ぐように配置されている。
【００５３】
本実施形態の球受体１２０は、合成樹脂製で、上端部に円筒状の回動支持部１２２が設けられ、回動支持部１２２の下側に、略扇形の板状に形成された球受作動部１２４が設けられており、球通路カバー１００をベース４１に固定するネジ１０６Ｅが回動支持部１２２に挿通されることで、ネジ１０６Ｅに回動自在に支持されている。
【００５４】
球受作動部１２４の右下側（球通路７０内側）の先端部には、右下へ向けて略三角形状に突出された突起部１２６が設けられている。
【００５５】
球受作動部１２４の右縁には、後方（図５及び図６における紙面奥行き方向の手前側）へ突出された球受リブ１２８が設けられており、突起部１２６を含む下縁には、後方へ突出された補強リブ１３０が設けられている。さらに、満タン検出器１１０に設けられたスイッチ作動レバー１１６の先端部に対応する所定位置には、後方へ突出された検出器作動リブ１３２が設けられており、検出器作動リブ１３２は、ネジ１０６Ｅ及び回動支持部１２２の軸心と一致する回動中心に対して円弧状に形成され、回動軌跡上にスイッチ作動レバー１１６の先端部が位置するよう相対配置されている。さらに、球受作動部１２４における検出器作動リブ１３２の下側には、検出器作動リブ１３２に沿った円弧状の長穴により構成されたストッパー孔１３６が形成されており、このストッパー孔１３６には、ベース４１の裏面に形成されたストッパーボス１３８が挿入されている。
【００５６】
また、球受作動部１２４における左下側（満タン検出器１１０側）の先端部には、後方へ突出された円筒状の操作部１３４が設けられており、操作部１３４は、球通路カバー１００に形成された長孔１０４を挿通して球通路カバー１００の後壁部よりも後方へ突出している。
【００５７】
そしてこの球受体１２０は、図６に示されるように、球受作動部１２４に側圧が加わっていない無加重状態では、回動中心を通る垂直線Ｌ上に重心Ｇが位置して保持されるとともに、検出器作動リブ１３２がスイッチ作動レバー１１６から離間してスイッチ作動レバー１１６との間に所定の隙間αを確保し、自重をスイッチ作動レバー１１６に作用させないよう構成されている。
【００５８】
次に、本実施形態の作用について説明する。
【００５９】
本実施形態に係るパチンコ機１０では、遊技の進行に伴い、払出装置６２から大量の遊技球が賞球として払い出されるなどし、上皿４２及び貯球タンク７４の遊技球貯留量が増加して満タンになると、貯球タンク７４から遊技球ＰＢが溢れ出し、図６に示されるように、皿ユニット４０（ベース４１）の裏面側に設けられた球通路７０内に通路入口７２から流入し、通路内誘導壁部１００Ａ及び通路内流下壁部１００Ｇの傾斜方向に沿って概ね矢印Ｄ方向に流下し、球排出口４９から下皿４４へ排出される。
【００６０】
さらに、下皿４４の遊技球貯留量が増加して満タンになると、球排出口４９は遊技球ＰＢで塞がれ、球通路７０内へ継続して流入した遊技球ＰＢが、図７に示されるように、球通路７０の下流側（球排出口４９側）から通路内流下壁部１００Ｇに沿うように上流側へと積み上げられる。そして、通路内流下壁部１００Ｇの上部付近まで遊技球ＰＢが積み上げられると、続いて球通路７０内へ流入し、通路内誘導壁部１００Ａによって左下方へ誘導された遊技球ＰＢが、球受体１２０の球受作動部１２４に設けられた球受リブ１２８に順次突き当たり、球受体１２０を押圧する。
【００６１】
この遊技球ＰＢの押圧力（荷重）を受けて、球受体１２０が時計回転方向（図６の矢印Ｂ方向）へ回動すると、検出器作動リブ１３２が満タン検出器１１０のスイッチ作動レバー１１６に当接し、さらに、検出器本体１１２内に設けられたプッシュスイッチ１１４のばね力よりも、球受体１２０の回動力（作動力）の方が大きくなると、検出器作動リブ１３２に押圧されてスイッチ作動レバー１１６がプッシュスイッチ１１４を検出器本体１１２内に押し込み、満タン検出器１１０はスイッチＯＮとなる。
【００６２】
このスイッチＯＮ状態では、満タン検出器１１０から払出制御基板８８へＯＮ信号が入力され、払出制御基板８８は、払出停止制御により払出装置６２を駆動停止させて遊技球ＰＢの払い出しを停止させる。
【００６３】
また、下皿用球抜きレバー５２の操作で下皿４４から球箱への遊技球排出が行われ、下皿４４の遊技球貯留量が減少すると、それに伴い、球通路７０内に積み上げられていた遊技球ＰＢは順次、下皿４４へ排出される。そして、球受体１２０を押圧していた遊技球ＰＢが流下すると、球受体１２０は遊技球ＰＢによる押圧が解除され、重心Ｇが垂直線Ｌの左側にあることで、反時計回りのモーメントにより元の位置（図６の状態）へ復帰する。
【００６４】
これに伴い、球受体１２０の検出器作動リブ１３２によってスイッチ作動レバー１１６を介し押圧されていたプッシュスイッチ１１４も押圧解除され、ばね力で検出器本体１１２から突出しつつスイッチ作動レバー１１６を押し上げて元の位置（図６の状態）へ復帰し、満タン検出器１１０はスイッチＯＦＦとなる。
【００６５】
このスイッチＯＦＦ状態では、満タン検出器１１０から払出制御基板８８へＯＦＦ信号が入力され、払出制御基板８８は、払出実行制御により払出装置６２を駆動させて遊技球ＰＢの払い出しを再開させる。これにより、遊技球貯留量が満タンであるが否かに応じた遊技球ＰＢの払い出しが行われ、上皿４２及び貯球タンク７４に下皿４４を加えた貯留許容量内での払出制御が行われる。
【００６６】
また、本実施形態の皿ユニット４０は、上記のように上皿４２と下皿４４が同一のベース４１に設けられてユニット化されており、この皿ユニット４０を内枠１４に対して閉塞状態から開放すると、皿ユニット４０（ベース４１）の裏面側に設けられた球通路７０が露出される。これにより、球通路７０内における球排出口４９付近や球受体１２０付近での球詰まりの解消、あるいは、満タン検出器１１０の交換等が容易に行えるようになり、上皿４２及び下皿４４をユニット化した構成における球通路７０及び球受体１２０のメンテナンス性が良好になる。
【００６７】
また、特に本実施形態の球通路７０では、球通路カバー１００を透明樹脂で形成しているため、皿ユニット４０の開放状態で球通路７０の内部が目視できるようになり、球通路７０で発生した球詰まりの確認とその解消が迅速に行えるようになる。
【００６８】
また、球受体１２０に設けられた操作部１３４により、球受体１２０を手動で回動操作できるため、満タン検出器１１０を含む満タン検出系の検査や球受体１２０付近での球詰まりの解消等を工具や専用治具等を用いることなく容易且つ速やかに行えるようになる。
【００６９】
さらに、球受体１２０の手動操作においては、満タン検出器１１０に接近する時計回転方向（図６の矢印Ｂ方向）への回動では、その回動方向とは反対側となるストッパー孔１３６の一方の端縁（図６及び図７の右側の端縁）がストッパーボス１３８に当接することにより、また、満タン検出器１１０から離間する反時計回転方向（図６の矢印Ｃ方向）への回動では、その回動方向とは反対側となるストッパー孔１３６の他方の端縁（図６及び図７の左側の端縁）がストッパーボス１３８に当接することにより、各回転方向での回動範囲が規制される。これにより、満タン検出器１１０に必要以上の押圧力が加えられたり、球受体１２０と収容室周壁部１００Ｅとの間に大きな隙間が生じて収容室１０２内に遊技球ＰＢが進入したりするようなことを防止できる。
【００７０】
また、従来のように、球受体の自重が検出器の検出部（可動スイッチ突起）に作用するよう構成されていると、繰り返し作動による検出部のばね力の低下や個体差によるばね力のばらつき等の要因で、球受体上に遊技球が存在しないときでも、球受体の自重で検出器の検出部が押し下げられ、満タン検出をしてしまうおそれがあるが、本実施形態のように、無加重状態では球受体１２０の自重が満タン検出器１１０のスイッチ作動レバー１１６とプッシュスイッチ１１４に作用しない構成であれば、そのような誤検出を防止することができる。
【００７１】
また、本実施形態では、下皿４４の遊技球貯留量が満タンになるのに伴って球通路７０内に貯留される遊技球ＰＢは、球通路７０の下流側（球排出口４９側）から通路内流下壁部１００Ｇに沿うようにして上流側の球受体１２０へ向けて積み上げられていき、通路内流下壁部１００Ｇの上部付近まで積み上げられると、続いて球通路７０内へ流入した遊技球ＰＢが通路内誘導壁部１００Ａによって左下方の球受体１２０へ向けて誘導され、球受体１２０を押圧する。これにより、球受体１２０の自重を満タン検出器１１０に作用させていない構成においても、球受体１２０を満タン検出器１１０側へ円滑且つ確実に押圧することができ、満タン状態を確実に検出できるようになる。
【００７２】
また、球受体１２０の回動支持部１２２は、球通路カバー１００に設けられた球受体カバー壁部１００Ｆで通路入口７２側が囲われカバーされているため、通路入口７２から球通路７０へ進入した遊技球ＰＢが回動支持部１２２に衝突したり、球通路７０内に貯留された遊技球ＰＢによって回動支持部１２２が押圧されたりすることはない。このように、回動支持部１２２に衝撃や負荷が作用しないことで、球受体１２０を長期にわたり安定して回動させることができる。
【００７３】
以上、本発明を上述した特定の実施形態により詳細に説明したが、本発明はそれに限定されるものではなく、本発明の範囲内にて他の種々の形態が実施可能である。
【００７４】
例えば、上記の実施形態では、遊技球貯留量が満タンか否かを検出する検出手段（検出器）としての満タン検出器１１０に、リミットスイッチを用いているが、プッシュスイッチ等を用いるようにしてもよい。また、遊技球ＰＢの押圧により変位して満タン検出器１１０を作動させる球受体１２０を回動変位させるよう構成しているが、スライド変位させるよう構成してもよい。
【図面の簡単な説明】
【００７５】
【図１】本発明の一実施形態に係るパチンコ機を示す正面図である。
【図２】本発明の一実施形態に係るパチンコ機を示す背面図である。
【図３】本発明の一実施形態に係るパチンコ機を示す正面側から見た斜視図である。
【図４】本発明の一実施形態に係るパチンコ機のガラス枠及び皿ユニットが開放された状態を示す正面側から見た斜視図である。
【図５】本発明の一実施形態に係る皿ユニットを示す背面図である。
【図６】本発明の一実施形態に係る皿ユニットに設けられた球通路及び満タン検出装置を示す拡大背面図である。
【図７】本発明の一実施形態に係る皿ユニットに設けられた球通路及び満タン検出状態の満タン検出装置を示す拡大背面図である。
【符号の説明】
【００７６】
１０        パチンコ機（遊技機）
１４        内枠（枠体）
４０        皿ユニット
４１        ベース（開閉体）
４１Ａ      裏面
４２        上皿
４４        下皿
６２        払出装置（球払出手段）
７０        球通路
８８        払出制御基板
１００      球通路カバー
１１０      満タン検出器（検出手段／検出器）
１２０      球受体（検出手段／球受体）
１３４      操作部
Ｇ          遊技盤
【図１】
2007313233.tif 000003
【図２】
2007313233.tif 000004
【図３】
2007313233.tif 000005
【図４】
2007313233.tif 000006
【図５】
2007313233.tif 000007
【図６】
2007313233.tif 000008
【図７】
2007313233.tif 000009